(57)【要約】【課題】性能の劣化を防止しつつ、小型化を実現可能なアンテナ装置を提供すること。【解決手段】アンテナ装置２は、第１のアンテナ２１と、第２のアンテナ２２と、第１のアンテナ２１が第１の給電部２３を介して接続される第１の地板２０ａと、第２のアンテナ２２が第２の給電部２４を介して接続される第２の地板２０ｂと、を備え、第１の地板２０ａと第２の地板２０ｂとが略平行に設けられる。【選択図】図１Ｂ
2020167489.tif 000002
【特許請求の範囲】
【請求項１】
第１のアンテナと、
第２のアンテナと、
前記第１のアンテナが第１の給電部を介して接続される第１の地板と、
前記第２のアンテナが第２の給電部を介して接続される第２の地板と、を備え、
前記第１の地板と前記第２の地板とが略平行に設けられることを特徴とするアンテナ装置。
【請求項２】
前記第２のアンテナは、前記第１の地板に対し、前記第１のアンテナと同じ側に設けられることを特徴とする請求項１に記載のアンテナ装置。
【請求項３】
前記第１のアンテナは、前記第１の地板の角部と接続されるアンテナであり、前記第２のアンテナは、前記第１の地板の角部と対角の位置にある前記第２の地板の角部と接続されるアンテナであることを特徴とする請求項２に記載のアンテナ装置。
【請求項４】
前記第１のアンテナおよび前記第２のアンテナは、エレメントの一部が折れ曲がっていることを特徴とする請求項３に記載のアンテナ装置。
【請求項５】
前記第１のアンテナおよび前記第２のアンテナにおいて折れ曲がっているエレメントの一部は、互いに略逆方向に延伸していることを特徴とする請求項４に記載のアンテナ装置。
【請求項６】
前記第２の地板の角部と対角の位置にある前記第２の地板の角部には、前記第１のアンテナが通過する切り欠きがあることを特徴とする請求項３〜５のいずれか１項に記載のアンテナ装置。
【請求項７】
前記第１の地板および前記第２の地板は矩形状の地板であり、前記第１の地板および前記第２の地板の長辺の長さが７０ｍｍ以上９０ｍｍ以下で、前記第１の地板および前記第２の地板の短辺の長さが（２５＋ｔ）ｍｍ（ここで、ｔは１０以上２０以下）である場合に、前記第１の地板と前記第２の地板との間の距離が２ｍｍ以上（１６−２ｔ／５）ｍｍ以下であることを特徴とする請求項４〜６のいずれか１項に記載のアンテナ装置。
【請求項８】
第３のアンテナと、第４のアンテナとをさらに備え、前記第３のアンテナは、前記第１の地板に第３の給電部を介して接続され、前記第４のアンテナは、前記第２の地板に第４の給電部を介して接続され、前記第３のアンテナおよび前記第４のアンテナは、前記第１のアンテナおよび前記第２のアンテナとは反対側に設けられることを特徴とする請求項２に記載のアンテナ装置。
【発明の詳細な説明】
【技術分野】
【０００１】
本開示は、アンテナ装置に関する。
【背景技術】
【０００２】
従来、無線システムにおいて通信速度を向上させる技術の一つとして、複数のアンテナを用いて通信を行うＭＩＭＯ（Ｍｕｌｔｉｐｌｅ  Ｉｎｐｕｔ  Ｍｕｌｔｉｐｌｅ  Ｏｕｔｐｕｔ）の技術が知られている。
【０００３】
例えば、特許文献１には、矩形の基板と、基板の１つの短辺に配置された２つの逆Ｆアンテナと、基板の両長辺にそれぞれ配置された２つのスリット型モノポールアンテナを備えたＭＩＭＯアンテナ装置が開示されている。
【先行技術文献】
【特許文献】
【０００４】
【特許文献１】特開２０１０−１３０１１５号公報
【発明の概要】
【発明が解決しようとする課題】
【０００５】
しかしながら、特許文献１に示されるアンテナ装置では、同一の基板のグラウンド面に複数のアンテナが配置されるため、アンテナ間の相互結合によりアンテナ効率が低下し、相関係数を小さくできない可能性がある。
【０００６】
これを防止するため、例えば、基板を大きくすることが考えられるが、この場合はアンテナ装置が大きくなり、装置の小型化が困難となる。
【０００７】
本開示は、性能の劣化を防止しつつ、小型化を実現可能なアンテナ装置を提供することを目的とする。
【課題を解決するための手段】
【０００８】
本開示の一態様に係るアンテナ装置は、第１のアンテナと、第２のアンテナと、第１のアンテナが第１の給電部を介して接続される第１の地板と、第２のアンテナが第２の給電部を介して接続される第２の地板と、を備え、第１の地板と第２の地板とが略平行に設けられる。
【発明の効果】
【０００９】
本開示によれば、性能の劣化を防止しつつ、小型化を実現可能なアンテナ装置を提供することができる。
【図面の簡単な説明】
【００１０】
【図１Ａ】地板が１つである場合のアンテナ装置の構成の一例を示す図
【図１Ｂ】地板が２つである場合のアンテナ装置の構成の一例を示す図
【図２Ａ】２つの地板間の距離とアンテナ間の相関係数との間の関係を示す図
【図２Ｂ】２つの地板間の距離と第１のアンテナのアンテナ効率との間の関係を示す図
【図２Ｃ】２つの地板間の距離と第２のアンテナのアンテナ効率との間の関係を示す図
【図３】２つの地板間の距離と性能の改善との関係について説明する図
【図４Ａ】アンテナの数が４本である場合のアンテナ装置の構成の一例を示す図
【図４Ｂ】アンテナの数が４本である場合のアンテナ装置の構成の他の一例を示す図
【図５】第１の地板および第２の地板がある場合に第２の地板に切り欠きを設けないアンテナ装置の構成の一例を示す図
【発明を実施するための形態】
【００１１】
以下に、添付図面を参照しながら、本開示の実施形態について詳細に説明する。
【００１２】
図１Ａは、地板が１つである場合のアンテナ装置１の構成の一例を示す図、図１Ｂは、地板が２つである場合の本実施の形態にかかるアンテナ装置２の構成の一例を示す図である。
【００１３】
図１Ａに示すアンテナ装置１は、地板１０、第１のアンテナ１１、および、第２のアンテナ１２を備える。
【００１４】
第１のアンテナ１１は、逆Ｌアンテナであり、矩形状の地板１０に対し垂直に伸びる第１のエレメント１１ａと、地板１０の長辺に沿って延びる第２のエレメント１１ｂとを有する。
【００１５】
また、第１のアンテナ１１は、地板１０の角部と第１の給電点１３を介して接続されている。
【００１６】
第２のアンテナ１２も逆Ｌアンテナであり、地板１０に対し第１のアンテナ１１の第１のエレメント１１ａと同じ側に垂直に伸びる第３のエレメント１２ａと、地板１０の長辺に沿って延びる第４のエレメント１２ｂとを有する。
【００１７】
また、第２のアンテナ１２は、第１の給電点１３が位置する角部と対角の位置にある地板１０の角部と第２の給電点１４を介して接続されている。
【００１８】
そして、第２のアンテナ１２の第４のエレメント１２ｂが第３のエレメント１２ａから伸びる方向は、第１のアンテナ１１の第２のエレメント１１ｂが第１のエレメント１１ａから伸びる方向と逆の方向となっている。
【００１９】
また、第１のアンテナ１１の第２のエレメント１１ｂは、第２のアンテナ１２の第４のエレメント１２ｂと地板１０からみて同じ高さとなるよう設けられている。
【００２０】
一方、図１Ｂに示す本実施形態にかかるアンテナ装置２は、第１の地板２０ａ、第２の地板２０ｂ、第１のアンテナ２１、および、第２のアンテナ２２を備える。
【００２１】
ここで、第１の地板２０ａと第２の地板２０ｂとは平行に設けられている。なお、第１の地板２０ａと第２の地板２０ｂとは、必ずしも厳密に平行に設けられていなければ本発明の作用効果が得られないというものではなく、一定の誤差は許容され得ることは言うまでもない。
【００２２】
すなわち、第１の地板２０ａと第２の地板２０ｂとは略平行に設けられていればよい。換言すれば、第１の地板２０ａと第２の地板２０ｂとは概ね同じ方向に広がっていることを意味する。また、第１の地板２０ａと第２の地板２０ｂの形状は完全に重なる形状である必要もない。
【００２３】
第１のアンテナ２１は、逆Ｌアンテナであり、矩形状の第１の地板２０ａに対し垂直に伸びる第１のエレメント２１ａと、第１の地板２０ａの長辺に沿って延びる第２のエレメント２１ｂとを有する。
【００２４】
また、第１のアンテナ２１は、第１の地板２０ａの角部と第１の給電点２３を介して接続されている。
【００２５】
ここで、第２の地板２０ｂには、第１のエレメント２１ａが外側に突き出ることなく、第１の地板２０ａに対し垂直に伸ばしてアンテナ装置２を小型化できるようにするため、切り欠きが形成されている。
【００２６】
第２のアンテナ２２も、逆Ｌアンテナであり、第１の地板２０ａに対し第１のアンテナ２１の第１のエレメント２１ａと同じ側に垂直に伸びる第３のエレメント２２ａと、第２の地板２０ｂの長辺に沿って延びる第４のエレメント２２ｂとを有する。
【００２７】
第２のアンテナ２２は、第１の給電点２３が位置する第１の地板２０ａの角部と対角の位置にある第２の地板２０ｂの角部と第２の給電点２４を介して接続されている。
【００２８】
そして、第２のアンテナ２２の第４のエレメント２２ｂが第３のエレメント２２ａから伸びる方向は、第１のアンテナ２１の第２のエレメント２１ｂが第１のエレメント２１ａから伸びる方向と略逆の方向となっている。
【００２９】
また、第１のアンテナ２１の第２のエレメント２１ｂは、第２のアンテナ２２の第４のエレメント２２ｂと第２の地板２０ｂからみて同じ高さとなるよう設けられている。
【００３０】
図１Ａに示すアンテナ装置１では、１つの地板１０に２つのアンテナ（第１のアンテナ１１および第２のアンテナ１２）が設けられることによりアンテナ結合が生じ、アンテナ効率が低下するとともに、相関係数が大きくなる。
【００３１】
これを防ぐためには地板１０を大きくすることが考えられるが、地板１０を大きくすると、アンテナ装置１を小型化することが難しくなる。
【００３２】
これに対し、図１Ｂに示すアンテナ装置２では、互いに平行な２つの地板（第１の地板２０ａおよび第２の地板２０ｂ）のそれぞれに第１のアンテナ２１と第２のアンテナ２２とを第１の給電点２３と第２の給電点２４とを介して接続する構成とした。
【００３３】
これにより、アンテナ性能の劣化を防止しつつ、小型化を実現することが可能となる。以下に、本実施形態にかかるアンテナ装置２のアンテナ性能について説明する。
【００３４】
図２Ａは、２つの地板間の距離とアンテナ間の相関係数との間の関係を示す図である。図２Ｂは、２つの地板間の距離と第１のアンテナ２１のアンテナ効率との間の関係を示す図である。図２Ｃは、２つの地板間の距離と第２のアンテナ２２のアンテナ効率との間の関係を示す図である。
【００３５】
図２Ａ、図２Ｂ、および、図２Ｃは、地板間の距離（横軸。単位はｍｍ）に対する相関係数またはアンテナ効率のシミュレーション結果の値を示している。シミュレーションは、複数の周波数（７００、７５０、８００、８５０、９００、９５０ＭＨｚ）に対して行い、図２Ａ、２Ｂ、２Ｃには、周波数ごとに地板間の距離に対するアンテナ間の相関係数またはアンテナ効率の値の推移を示すとともに、それらの平均値を示している。
【００３６】
ここで、横軸における０ｍｍは地板が１枚であることを表している。また、横軸のそれ以降の目盛りは２枚の地板間の距離を表しており、図１Ｂに示した第１の地板２０ａと第２の地板２０ｂとの間の距離が２ｍｍずつ大きくなっている。
【００３７】
図２Ａに示すように、アンテナ間の相関係数は、その平均値を参照すると、２つの地板間の距離が離れるにつれて低下している。すなわち、アンテナ間の相関係数は、２つの地板間の距離を離すにつれて改善傾向がみられるといえる。
【００３８】
また、図２Ｂに示すように、第１のアンテナ１１のアンテナ効率も、その平均値を参照すると、２つの地板間の距離が離れるにつれて上昇している。すなわち、第１のアンテナ１１のアンテナ効率は、２つの地板間の距離を離すにつれて改善傾向がみられるといえる。
【００３９】
また、図２Ｃに示すように、第２のアンテナ１２のアンテナ効率は、その平均値を参照すると、２つの地板間の距離が１２ｍｍまでであれば、地板が１枚の場合と同等もしくはそれ以上の性能を示しており、少なくとも地板距離が１２ｍｍまでは改善傾向がみられるといえる。
【００４０】
このように、図１Ｂに示したアンテナ装置２の性能が改善される理由は、図１Ｂに示したように、平行に設けられた異なる２つの地板にアンテナがそれぞれ配置されるため、アンテナ装置２の電流分布および放射パターンの対称性が、図１Ａに示したアンテナ装置１の電流分布および放射パターンの対称性よりも崩れるためである。
【００４１】
つぎに、図１Ｂに示したアンテナ装置２における第１の地板２０ａと第２の地板２０ｂとの間の距離と性能の改善との関係について説明する。
【００４２】
図３は、アンテナ装置２における第１の地板２０ａと第２の地板２０ｂとの間の距離と性能の改善との関係について説明する図である。
【００４３】
図３には、サイズの異なる８つのアンテナ装置２でシミュレーションを行った結果が示されている。
【００４４】
具体的には、第１の地板２０ａと第２の地板２０ｂの短辺の長さが同じＷであり、かつ、長辺の長さが同じＬである場合に、第１の地板２０ａと第２の地板２０ｂとの間の距離Ｄを変化させてシミュレーションを行った結果が８つ示されている。
【００４５】
また、図３における相関係数の改善、第１のアンテナ２１の効率改善、および、第２のアンテナ２２の効率改善の評価値は、７００ＭＨｚから９５０ＭＨｚまでの帯域平均値である。ここで相関係数の改善および効率改善の評価値は、地板が１枚の場合の相関係数または効率に対しての改善の程度を表す値である。
【００４６】
図３に示すとおり、地板が１枚の場合に比べて、地板を２枚構成とすることで、サイズの異なる８つのアンテナ装置のいずれにおいても、相関係数および第１のアンテナ２１の効率は（２５×７０の相関係数を除き）改善されているといえる。また、第２のアンテナ２２の効率についても、地板が１枚の場合に比べて劣化なし（やや改善している）といえる。
【００４７】
ここで、相関係数に安定的な改善がみられ、かつ、第１のアンテナ２１の効率については０．３ｄＢを上回ることがある場合に顕著な改善があったとみなす。
【００４８】
この場合、図３に示したＮｏ．１〜８のケースのうち、Ｎｏ．３〜６のケースについて顕著な改善があったといえる。
【００４９】
これらのケースについては、第１の地板２０ａおよび第２の地板２０ｂの長辺の長さＬが７０ｍｍ以上９０ｍｍ以下であり、かつ、第１の地板２０ａおよび第２の地板２０ｂの短辺の長さＷが（２５＋ｔ）ｍｍ（ここで、ｔは１０以上２０以下）である場合に、第１の地板２０ａと第２の地板２０ｂとの間の距離Ｄが２ｍｍ以上（１６−２ｔ／５）ｍｍ以下となっている。
【００５０】
すなわち、このような条件を満たす場合に、アンテナ性能に顕著な改善がみられるといえる。例えば、Ｗ＝３５ｍｍでｔ＝１０の場合にはＤは１２ｍｍ以下となり、Ｗ４５ｍｍでｔ＝２０の場合にはＤは８ｍｍ以下となる。
【００５１】
なお、ここで説明したケースは、地板を２枚構成とした場合に、あくまで著しく顕著な効果が得られる寸法の説明であって、地板を２枚構成とすることによって、例えばｔが１０より小さい場合や２０より大きい場合でも一定の改善効果があることは言うまでもない。
【００５２】
つぎに、アンテナの数が２つより多い場合について説明する。図４Ａは、アンテナの数が４本である場合のアンテナ装置３の構成の一例を示す図であり、図４Ｂは、アンテナの数が４本である場合のアンテナ装置４の構成の他の一例を示す図である。
【００５３】
図４Ａに示すアンテナ装置３は、第１の地板３０ａ、第２の地板３０ｂ、第１のアンテナ３１、第２のアンテナ３２、第３のアンテナ３３、および、第４のアンテナ３４を備える。
【００５４】
ここで、第１の地板３０ａと第２の地板３０ｂとは平行に設けられている。
【００５５】
第１のアンテナ３１は逆Ｌアンテナであり、矩形状の第２の地板３０ｂに対し垂直に伸びる第１のエレメント３１ａと、第２の地板３０ｂの長辺に沿って延びる第２のエレメント３１ｂとを有する。
【００５６】
また、第１のアンテナ３１は、第２の地板３０ｂの角部と第１の給電点３５を介して接続されている。
【００５７】
第２のアンテナ３２も、逆Ｌアンテナであり、第１の地板３０ａに対し第１のアンテナ３１の第１のエレメント３１ａと同じ側に垂直に伸びる第３のエレメント３２ａと、第２の地板３０ｂの長辺に沿って延びる第４のエレメント３２ｂとを有する。
【００５８】
第２のアンテナ３２は、第１の給電点３５が位置する第２の地板３０ｂの角部と同じ側にある第１の地板３０ａの角部と第２の給電点３６を介して接続されている。
【００５９】
ここで、第２の地板３０ｂには、第３のエレメント３２ａが外側に突き出ることなく、第１の地板３０ａに対し垂直に伸ばしてアンテナ装置３を小型化できるようにするため、切り欠きが形成されている。
【００６０】
そして、第２のアンテナ３２の第４のエレメント３２ｂが第３のエレメント３２ａから伸びる方向は、第１のアンテナ３１の第２のエレメント３１ｂが第１のエレメント３１ａから伸びる方向と同じ方向となっている。
【００６１】
また、第１のアンテナ３１の第２のエレメント３１ｂは、第２のアンテナ３２の第４のエレメント３２ｂと第２の地板３０ｂからみて同じ高さとなるよう設けられている。
【００６２】
第３のアンテナ３３も逆Ｌアンテナであり、第１の地板３０ａに対し第１のアンテナ３１の第１のエレメント３１ａと反対側に垂直に伸びる第５のエレメント３３ａと、第１の地板３０ａの長辺に沿って延びる第６のエレメント３３ｂとを有する。
【００６３】
第３のアンテナ３３は、第２の給電点３６が位置する第２の地板３０ｂの角部と対角の位置ある第１の地板３０ａの角部と第３の給電点３７を介して接続されている。
【００６４】
第４のアンテナ３４も逆Ｌアンテナであり、第２の地板３０ｂに対し第１のアンテナ３１の第１のエレメント３１ａと反対側に垂直に伸びる第７のエレメント３４ａと、第１の地板３０ａの長辺に沿って延びる第８のエレメント３４ｂとを有する。
【００６５】
第４のアンテナ３４は、第３の給電点３７が位置する第１の地板３０ａの角部と同じ側にある第２の地板３０ｂの角部と第４の給電点３８を介して接続されている。
【００６６】
ここで、第１の地板３０ａには、第７のエレメント３４ａが外側に突き出ることなく、第２の地板３０ｂに対し垂直に伸ばしてアンテナ装置３を小型化できるようにするため、切り欠きが形成されている。
【００６７】
そして、第４のアンテナ３４の第８のエレメント３４ｂが第７のエレメント３４ａから伸びる方向は、第３のアンテナ３３の第６のエレメント３３ｂが第５のエレメント３３ａから伸びる方向と同じ方向となっている。
【００６８】
また、第３のアンテナ３３の第６のエレメント３３ｂは、第４のアンテナ３４の第８のエレメント３４ｂと第１の地板３０ａからみて同じ高さとなるよう設けられている。
【００６９】
図４Ｂに示すアンテナ装置４は、第１の地板４０ａ、第２の地板４０ｂ、第１のアンテナ４１、第２のアンテナ４２、第３のアンテナ４３、および、第４のアンテナ４４を備える。
【００７０】
ここで、第１の地板４０ａと第２の地板４０ｂとは平行に設けられている。
【００７１】
第１のアンテナ４１は逆Ｌアンテナであり、矩形状の第２の地板４０ｂに対し垂直に伸びる第１のエレメント４１ａと、第２の地板４０ｂの長辺に沿って延びる第２のエレメント４１ｂとを有する。
【００７２】
また、第１のアンテナ４１は、第２の地板４０ｂの角部と第１の給電点４５を介して接続されている。
【００７３】
第２のアンテナ４２も逆Ｌアンテナであり、第１の地板４０ａに対し第１のアンテナ４１の第１のエレメント４１ａと同じ側に垂直に伸びる第３のエレメント４２ａと、第２の地板４０ｂの長辺に沿って延びる第４のエレメント４２ｂとを有する。
【００７４】
第２のアンテナ４２は、第１の給電点４５が位置する第２の地板４０ｂの角部と同じ側にある第１の地板４０ａの角部と第２の給電点４６を介して接続されている。
【００７５】
ここで、第２の地板４０ｂには、第３のエレメント４２ａが外側に突き出ることなく、第１の地板４０ａに対し垂直に伸ばしてアンテナ装置４を小型化できるようにするため、切り欠きが形成されている。
【００７６】
そして、第２のアンテナ４２の第４のエレメント４２ｂが第３のエレメント４２ａから伸びる方向は、第１のアンテナ４１の第２のエレメント４１ｂが第１のエレメント４１ａから伸びる方向と同じ方向となっている。
【００７７】
また、第１のアンテナ４１の第２のエレメント４１ｂは、第２のアンテナ４２の第４のエレメント４２ｂと第２の地板４０ｂからみて同じ高さとなるよう設けられている。
【００７８】
第３のアンテナ４３も逆Ｌアンテナであり、第１の地板４０ａに対し第１のアンテナ４１の第１のエレメント４１ａと反対側に垂直に伸びる第５のエレメント４３ａと、第１の地板４０ａの長辺に沿って延びる第６のエレメント４３ｂとを有する。
【００７９】
第３のアンテナ４３は、第２の給電点４６が位置する第１の地板４０ａの角部と対角の位置にある第２の地板４０ｂの角部と第３の給電点４７を介して接続されている。
【００８０】
ここで、第１の地板４０ａには、第５のエレメント４３ａが外側に突き出ることなく、第２の地板４０ｂに対し垂直に伸ばしてアンテナ装置４を小型化できるようにするため、切り欠きが形成されている。
【００８１】
第４のアンテナ４４も逆Ｌアンテナであり、第１の地板４０ａに対し第１のアンテナ４１の第１のエレメント４１ａと反対側に垂直に伸びる第７のエレメント４４ａと、第１の地板４０ａの長辺に沿って延びる第８のエレメント４４ｂとを有する。
【００８２】
第４のアンテナ４４は、第３の給電点４７が位置する第２の地板４０ｂの角部と同じ側にある第１の地板４０ａの角部と第４の給電点４８を介して接続されている。
【００８３】
そして、第４のアンテナ４４の第８のエレメント４４ｂが第７のエレメント４４ａから伸びる方向は、第３のアンテナ４３の第６のエレメント４３ｂが第５のエレメント４３ａから伸びる方向と同じ方向となっている。
【００８４】
また、第３のアンテナ４３の第６のエレメント４３ｂは、第４のアンテナ４４の第８のエレメント４４ｂと第１の地板４０ａからみて同じ高さとなるよう設けられている。
【００８５】
図４Ａおよび図４Ｂに示したアンテナ装置３、４においても、図１Ｂに示したアンテナ装置２と同様に、アンテナ装置３、４の電流分布および放射パターンの対称性が崩れている。そのため、相関係数、および、アンテナの効率が顕著に改善される。
【００８６】
なお、上記実施の形態では、アンテナ装置２〜４を小型化するため、地板に切り欠きを形成してアンテナエレメントに切り欠きを通過させることとしたが、必要なだけ小型化できていれば必ずしも切り欠きを設ける必要はない。
【００８７】
図５は、第１の地板５０ａおよび第２の地板５０ｂがある場合に第２の地板５０ｂに切り欠きを設けないアンテナ装置５の構成の一例を示す図である。
【００８８】
このアンテナ装置５は、第１の地板５０ａ、第２の地板５０ｂ、第１のアンテナ５１、および、第２のアンテナ５２を備える。
【００８９】
ここで、第１の地板５０ａと第２の地板５０ｂとは平行に設けられている。
【００９０】
第１のアンテナ５１は逆Ｌアンテナであり、矩形状の第１の地板５０ａに対し垂直に伸びる第１のエレメント５１ａと、第１の地板５０ａの長辺に沿って延びる第２のエレメント５１ｂとを有する。
【００９１】
また、第１のアンテナ５１は、第１の地板５０ａの角部と第１の給電点５３を介して接続されている。
【００９２】
ただし、図１Ｂに示したアンテナ装置２とは異なり、第２の地板５０ｂには第１のエレメント５１ａを通過させる切り欠きはなく、第１のエレメント５１ａは第２の地板５０ｂの外側を通過して第１の地板５０ａに対し垂直に伸びている。
【００９３】
第２のアンテナ５２も逆Ｌアンテナであり、第１の地板５０ａに対し第１のアンテナ５１の第１のエレメント５１ａと同じ側に垂直に伸びる第３のエレメント５２ａと、第２の地板５０ｂの長辺に沿って延びる第４のエレメント５２ｂとを有する。
【００９４】
第２のアンテナ５２は、第１の給電点５３が位置する第１の地板５０ａの角部と対角の位置にある第２の地板５０ｂの角部と第２の給電点５４を介して接続されている。
【００９５】
そして、第２のアンテナ５２の第４のエレメント５２ｂが第３のエレメント５２ａから伸びる方向は、第１のアンテナ５１の第２のエレメント５１ｂが第１のエレメント５１ａから伸びる方向と略逆の方向となっている。
【００９６】
また、第１のアンテナ５１の第２のエレメント５１ｂは、第２のアンテナ５２の第４のエレメント５２ｂと第２の地板５０ｂからみて同じ高さとなるよう設けられている。
【００９７】
この場合も、図１Ｂに示したアンテナ装置２と同様に、アンテナ装置５の電流分布および放射パターンの対称性が崩れている。そのため、相関係数、および、アンテナの効率が顕著に改善される。
【００９８】
なお、上述した実施形態においては、エレメントの一部が折れ曲がっている逆Ｌアンテナを例として説明したが、本発明の技術的な範囲としては、逆Ｌアンテナに限定されるものではなく、例えばモノポールアンテナ、ループアンテナ、その他線状アンテナあるいはダイポールアンテナであってもよく、特に限定はされない。
【産業上の利用可能性】
【００９９】
本開示に係るアンテナ装置は、複数のアンテナを用いて通信を行うアンテナ装置に適用するのに好適である。
【符号の説明】
【０１００】
１，２，３，４，５  アンテナ装置
１０  地板
２０ａ，３０ａ，４０ａ，５０ａ  第１の地板
２０ｂ，３０ｂ，４０ｂ，５０ｂ  第２の地板
１１，２１，３１，４１，５１  第１のアンテナ
１１ａ，２１ａ，３１ａ，４１ａ，５１ａ  第１のエレメント
１１ｂ，２１ｂ，３１ｂ，４１ｂ，５１ｂ  第２のエレメント
１２，２２、３２，４２，５２  第２のアンテナ
１２ａ，２２ａ，３２ａ，４２ａ，５２ａ  第３のエレメント
１２ｂ，２２ｂ，３２ｂ，４２ｂ，５２ｂ  第４のエレメント
１３，２３，３５，４５，５３  第１の給電点
１４，２４，３６，４６，５４  第２の給電点
３３，４３  第３のアンテナ
３３ａ，４３ａ  第５のエレメント
３３ｂ，４３ｂ  第６のエレメント
３４，４４  第４のアンテナ
３４ａ，４４ａ  第７のエレメント
３４ｂ，４４ｂ  第８のエレメント
３７，４７  第３の給電点
３８，４８  第４の給電点
【図１Ａ】
2020167489.tif 000003
【図１Ｂ】
2020167489.tif 000004
【図２Ａ】
2020167489.tif 000005
【図２Ｂ】
2020167489.tif 000006
【図２Ｃ】
2020167489.tif 000007
【図３】
2020167489.tif 000008
【図４Ａ】
2020167489.tif 000009
【図４Ｂ】
2020167489.tif 000010
【図５】
2020167489.tif 000011